(57)【要約】【課題】ユーザ自ら登録を行わなくても好みの番組の情報を知得でき使い勝手の良いＡＶ機器間のデータ送受信システムを提供する。【解決手段】再生装置１０と表示装置２０とを有するデータ送受信システム１において、再生装置１０は、コンテンツ情報を抽出する抽出プログラム１５３ａと、コンテンツ情報を送信する送信プログラム１５３ｂ及び通信部１３とを備え、表示装置２０は、コンテンツ情報を受信する受信プログラム２１及び通信部２１と、コンテンツ情報からキーワード及び／又はジャンル情報を取得する取得プログラム３１３ｂと、キーワード及び／又はジャンル情報を記憶する記憶プログラム３１３ｄ及びメモリ部３１２と、キーワード及び／又はジャンル情報とＥＰＧデータとが一致するか否かを判断する判断プログラム３１３ｅと、一致すると判断されたＥＰＧの番組情報を強調表示する表示プログラム３１３ｆ及び表示部２８と、を備える。【選択図】図２
2010273247.tif 000002
【特許請求の範囲】
【請求項１】
ＨＤＭＩ（High Definition Multimedia Interface）を介して接続されたデータ送信機器とデータ受信機器とを有するデータ送受信システムにおいて、
前記データ送信機器は、
当該データ送信機器において再生された映像のコンテンツ情報を抽出する抽出手段と、
前記抽出手段により抽出されたコンテンツ情報を、ＨＤＭＩのＣＥＣ（Consumer Electronics Control）ラインにより前記データ受信機器に送信する送信手段と、
を備え、
前記データ受信機器は、
前記送信手段により送信されたコンテンツ情報を受信する受信手段と、
前記受信手段により受信されたコンテンツ情報から、キーワード及び／又はジャンル情報を取得する取得手段と、
前記取得手段により取得されたキーワード及び／又はジャンル情報を記憶する記憶手段と、
ＥＰＧ（Electric Program Guide）を表示する際、前記記憶手段に記憶されたキーワード及び／又はジャンル情報とＥＰＧデータとを照合し、一致するか否かを判断する判断手段と、
ＥＰＧを表示する際、前記判断手段によりキーワード及び／又はジャンル情報と一致すると判断されたＥＰＧデータの番組情報を強調表示する表示手段と、
を備えることを特徴とするデータ送受信システム。
【請求項２】
前記データ受信機器はインターネットと接続可能であり、
前記取得手段によりコンテンツ情報からキーワード及び／又はジャンル情報を取得できない場合、前記データ受信機器に接続されたインターネットにより、コンテンツ情報を用いてキーワード及び／又はジャンル情報を検索する検索手段を備え、
前記記憶手段は、前記取得手段によりコンテンツ情報からキーワード及び／又はジャンル情報を取得できない場合、前記検索手段により検索されたキーワード及び／又はジャンル情報を記憶することを特徴とする請求項１に記載のデータ送受信システム。
【請求項３】
前記判断手段は、前記データ受信機器の起動時に、前記記憶手段に記憶されたキーワード及び／又はジャンル情報とＥＰＧデータとを照合し、一致するか否かを判断し、
前記データ受信機器は、
前記データ受信機器の起動時に、前記判断手段によりキーワード及び／又はジャンル情報と一致すると判断されたＥＰＧデータの番組情報をポップアップ表示してユーザに報知する報知手段を備えることを特徴とする請求項１又は２に記載のデータ送受信システム。
【請求項４】
ＨＤＭＩを介して接続されたデータ送信機器とデータ受信機器とを有するデータ送受信システムにおいて、
前記データ送信機器は、
当該データ送信機器において再生された映像のコンテンツ情報を抽出する抽出手段と、
前記抽出手段により抽出されたコンテンツ情報を、ＨＤＭＩのＣＥＣラインにより前記データ受信機器に送信する送信手段と、
を備え、
前記データ受信機器は、
インターネットと接続可能であり、
前記送信手段により送信されたコンテンツ情報を受信する受信手段と、
前記受信手段により受信されたコンテンツ情報から、キーワード及び／又はジャンル情報を取得する取得手段と、
前記取得手段によりコンテンツ情報からキーワード及び／又はジャンル情報を取得できない場合、前記データ受信機器に接続されたインターネットにより、コンテンツ情報を用いてキーワード及び／又はジャンル情報を検索する検索手段と、
前記取得手段により取得されたキーワード及び／又はジャンル情報を記憶すると共に、前記取得手段によりコンテンツ情報からキーワード及び／又はジャンル情報を取得できない場合、前記検索手段により検索されたキーワード及び／又はジャンル情報を記憶する記憶手段と、
ＥＰＧを表示する際及び前記データ受信機器の起動時に、前記記憶手段に記憶されたキーワード及び／又はジャンル情報とＥＰＧデータとを照合し、一致するか否かを判断する判断手段と、
ＥＰＧを表示する際に、前記判断手段によりキーワード及び／又はジャンル情報と一致すると判断されたＥＰＧデータの番組情報を強調表示する表示手段と、
前記データ受信機器の起動時に、前記判断手段によりキーワード及び／又はジャンル情報と一致すると判断されたＥＰＧデータの番組情報をポップアップ表示してユーザに報知する報知手段と、
を備えることを特徴とするデータ送受信システム。
【発明の詳細な説明】
【技術分野】
【０００１】
本発明は、データ送受信システムに関する。
【背景技術】
【０００２】
近年、テレビジョン放送受信機のデジタル化に伴い、視聴できるチャンネル数が増え、デジタルラジオ放送やデータ放送も受信できるようになってきた。また、テレビの大画面化が進むとともにテレビと外部機器との接続方法も多様化し、接続機器相互の連携を図ることも可能となった。
【０００３】
ＡＶ（Audio Visual）機器間における映像伝送用のデジタルインタフェースとして、ＨＤＭＩ（High Definition Multimedia Interface）が普及している。ＨＤＭＩにおいては、双方向にデータ送受信可能なＣＥＣ（Consumer Electronics Control）ラインが規格化されている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
【０００４】
このようなＨＤＭＩを備えたテレビの設定において、チャンネル数の多様化に伴い、ユーザの入力によりキーワードを登録しておき、ＥＰＧ（Electric Program Guide）を表示する際に登録したキーワードを使用してＥＰＧ中の番組を検索し、キーワードに合致した番組のリストを表示させる技術が提案されている（例えば、特許文献１参照。）。
【先行技術文献】
【特許文献】
【０００５】
【特許文献１】特開２００３−３１９２８５号公報
【発明の概要】
【発明が解決しようとする課題】
【０００６】
しかしながら、こうしたキーワードの登録はユーザが自ら行うものであったため、設定に手間がかかるという問題があった。
本発明の課題は、ＨＤＭＩを介して接続されたＡＶ機器間のデータ送受信システムにおいて、ＣＥＣラインを用い、ユーザ自ら登録を行わなくても好みの番組の情報を知得でき、使い勝手を良好にすることである。
【課題を解決するための手段】
【０００７】
前記課題を解決するために、請求項１に記載の発明は、
ＨＤＭＩ（High Definition Multimedia Interface）を介して接続されたデータ送信機器とデータ受信機器とを有するデータ送受信システムにおいて、
前記データ送信機器は、
当該データ送信機器において再生された映像のコンテンツ情報を抽出する抽出手段と、
前記抽出手段により抽出されたコンテンツ情報を、ＨＤＭＩのＣＥＣ（Consumer Electronics Control）ラインにより前記データ受信機器に送信する送信手段と、
を備え、
前記データ受信機器は、
前記送信手段により送信されたコンテンツ情報を受信する受信手段と、
前記受信手段により受信されたコンテンツ情報から、キーワード及び／又はジャンル情報を取得する取得手段と、
前記取得手段により取得されたキーワード及び／又はジャンル情報を記憶する記憶手段と、
ＥＰＧ（Electric Program Guide）を表示する際、前記記憶手段に記憶されたキーワード及び／又はジャンル情報とＥＰＧデータとを照合し、一致するか否かを判断する判断手段と、
ＥＰＧを表示する際、前記判断手段によりキーワード及び／又はジャンル情報と一致すると判断されたＥＰＧデータの番組情報を強調表示する表示手段と、
を備えることを特徴とする。
【０００８】
請求項２に記載の発明は、請求項１に記載のデータ送受信システムにおいて、
前記データ受信機器はインターネットと接続可能であり、
前記取得手段によりコンテンツ情報からキーワード及び／又はジャンル情報を取得できない場合、前記データ受信機器に接続されたインターネットにより、コンテンツ情報を用いてキーワード及び／又はジャンル情報を検索する検索手段を備え、
前記記憶手段は、前記取得手段によりコンテンツ情報からキーワード及び／又はジャンル情報を取得できない場合、前記検索手段により検索されたキーワード及び／又はジャンル情報を記憶することを特徴とする。
【０００９】
請求項３に記載の発明は、請求項１又は２に記載のデータ送受信システムにおいて、
前記判断手段は、前記データ受信機器の起動時に、前記記憶手段に記憶されたキーワード及び／又はジャンル情報とＥＰＧデータとを照合し、一致するか否かを判断し、
前記データ受信機器は、
前記データ受信機器の起動時に、前記判断手段によりキーワード及び／又はジャンル情報と一致すると判断されたＥＰＧデータの番組情報をポップアップ表示してユーザに報知する報知手段を備えることを特徴とする。
【００１０】
請求項４に記載の発明は、
ＨＤＭＩを介して接続されたデータ送信機器とデータ受信機器とを有するデータ送受信システムにおいて、
前記データ送信機器は、
当該データ送信機器において再生された映像のコンテンツ情報を抽出する抽出手段と、
前記抽出手段により抽出されたコンテンツ情報を、ＨＤＭＩのＣＥＣラインにより前記データ受信機器に送信する送信手段と、
を備え、
前記データ受信機器は、
インターネットと接続可能であり、
前記送信手段により送信されたコンテンツ情報を受信する受信手段と、
前記受信手段により受信されたコンテンツ情報から、キーワード及び／又はジャンル情報を取得する取得手段と、
前記取得手段によりコンテンツ情報からキーワード及び／又はジャンル情報を取得できない場合、前記データ受信機器に接続されたインターネットにより、コンテンツ情報を用いてキーワード及び／又はジャンル情報を検索する検索手段と、
前記取得手段により取得されたキーワード及び／又はジャンル情報を記憶すると共に、前記取得手段によりコンテンツ情報からキーワード及び／又はジャンル情報を取得できない場合、前記検索手段により検索されたキーワード及び／又はジャンル情報を記憶する記憶手段と、
ＥＰＧを表示する際及び前記データ受信機器の起動時に、前記記憶手段に記憶されたキーワード及び／又はジャンル情報とＥＰＧデータとを照合し、一致するか否かを判断する判断手段と、
ＥＰＧを表示する際に、前記判断手段によりキーワード及び／又はジャンル情報と一致すると判断されたＥＰＧデータの番組情報を強調表示する表示手段と、
前記データ受信機器の起動時に、前記判断手段によりキーワード及び／又はジャンル情報と一致すると判断されたＥＰＧデータの番組情報をポップアップ表示してユーザに報知する報知手段と、
を備えることを特徴とする。
【発明の効果】
【００１１】
本発明によれば、データ受信機器が、ＨＤＭＩにより接続されたデータ送信機器から再生された映像のコンテンツ情報を取得しているため、データ受信機器においてＥＰＧを表示する際、取得したコンテンツ情報に基づいて番組情報が強調表示される。
よって、ユーザは、事前に登録することなしに好みの番組の情報を知得することができ、使い勝手を良好にすることができる。
【図面の簡単な説明】
【００１２】
【図１】本発明のデータ送受信システムの全体構成図である。
【図２】本発明のデータ送受信システムにおける再生装置及び表示装置の制御構成を示すブロック図である。
【図３】表示プログラムの実行に際して、表示部に表示されるＥＰＧを例示する図である。
【図４】報知プログラムの実行に際して、表示部に表示されるポップアップセルを例示する図である。
【図５】本発明のデータ送受信システムにおいて行われる表示処理（強調表示、ポップアップ表示）を示すフローチャートである。
【図６】表示処理の中の一処理である取得処理を示すフローチャートである。
【発明を実施するための形態】
【００１３】
以下、本発明の実施の形態について図面を参照しながら説明する。なお、発明の範囲は図示例に限定されない。
【００１４】
図１は、本実施形態におけるデータ送受信システム１の構成を示す図である。
【００１５】
図１、２に示すように、データ送受信システム１は、再生装置（データ送信機器）１０と、表示装置（データ受信機器）２０と、を備えて構成されている。
再生装置１０と、表示装置２０と、は、ＨＤＭＩ（High Definition Multimedia Interface）規格のＨＤＭＩケーブルＣにより相互に接続されており、ＨＤＭＩにより、再生装置１０から映像データや音声データが制御信号とともに表示装置２０側に送信される。
ＨＤＭＩケーブルＣは、ＣＥＣ信号を通すＣＥＣラインと、映像・音声信号を通す映像・音声ラインと、に分割されている。ＣＥＣラインは、再生装置１０及び表示装置２０の各制御部１５、３１（図２参照。）間でＣＥＣ信号を相互に送受できるように（双方向データ通信可能に）構成されている。また、映像・音声ラインは各機器内に配置された通信部１３、２１（図２参照。）を介して映像・音声信号の送受を行う。これは、著作権保護の観点から、ＨＤＭＩケーブル上にスクランブルが解かれた映像信号や音声信号が存在しないようにするためである。
【００１６】
図２は、再生装置１０及び表示装置２０の制御構成を示すブロック図である。
【００１７】
まず、再生装置１０の構成について説明する。
再生装置１０は、例えば、ＤＶＤ(Digital Versatile Disc)に記録された映像データ等の再生を行うＤＶＤプレーヤである。
当該再生装置１０は、図２に示すように、この再生装置１０において再生される映像データに基づく映像を表示する表示装置２０と、ＨＤＭＩケーブルＣにより接続されており、再生される映像データ、及び再生される映像のコンテンツ情報を、ＨＤＭＩケーブルＣを介して表示装置２０に送信する。
【００１８】
再生装置１０は、例えば、図示しないＤＶＤに記録された映像データを読み出す再生部１１と、再生部１１において読み出された映像データに所定のデコード処理を行うデコーダ部１２と、デコーダ部１２から出力される映像データを表示装置２０等の外部機器に送信する通信部１３と、ユーザが各種指示を入力するためのキー操作部１４と、再生装置１０の各部を統括制御する制御部１５と、等を備えて構成されている。
【００１９】
再生部１１は、例えば、ＤＶＤの反射層にレーザ光を照射し、光電変換及び電流電圧変換によって反射光に応じた電圧信号を生成することにより、ＤＶＤに記録された映像データ等を読み出して、読み出した映像データ等をデコーダ部１２に出力する。
【００２０】
デコーダ部１２は、例えば、図示は省略するが、分離部、ビデオデコーダ、オーディオデコーダ等を備えて構成されており、分離部において、再生部１１から入力されたコンテンツデータを映像データ、音声データ、副映像データ等の複数のデータに分離し、分離した映像データをビデオデコーダに、音声データをオーディオデコーダに出力する。そして、ビデオデコーダにおいて、分離された映像データをＭＰＥＧ方式に従ってデコードし、オーディオデコーダにおいて、分離された音声データをＭＰＥＧオーディオ方式に従ってデコードする。
【００２１】
通信部１３は、各種インターフェースに対応する映像入出力端子群を備え、デコーダ部１２から入力される映像データ、及びコンテンツ情報等を、映像入出力端子を介して表示装置２０に送信する。
具体的には、通信部１３には、ＨＤＭＩに対応するＨＤＭＩ端子１３ａが備わり、このＨＤＭＩ端子１３ａを介して、デコーダ部１２から入力される映像データ、音声データ、等を、制御信号とともに表示装置２０に送信する。
また、通信部１３は、ＨＤＭＩケーブルＣのＣＥＣラインを介して、デコーダ部１２から入力されるコンテンツ情報を表示装置２０に送信する。すなわち、通信部１３は、後述する送信プログラム１５３ｂと共に、送信手段の一部として機能する。
【００２２】
キー操作部１４は、例えば、ユーザが各種指示を入力するための複数のキーを備えており、ユーザによりキーの押下操作がなされると、押下されたキーに対応する入力操作信号を制御部１５に出力する。
【００２３】
制御部１５は、ＣＰＵ（Central Processing Unit）１５１、メモリ部１５２、ＲＯＭ（Read Only Memory）１５３等を備えて構成されている。
【００２４】
ＣＰＵ１５１は、再生装置１０の各部から入力された入力信号や、キー操作部１４における各種キーの押下操作に基づく入力操作信号等に応じて、ＲＯＭ１５３に格納された各種プログラムを実行するとともに、実行にかかるプログラムに基づいて再生装置１０の各部に出力信号を出力することにより、再生装置１０の動作全般を統括制御する。
【００２５】
メモリ部１５２は、例えば、ＲＡＭ（Random Access Memory）等の揮発性メモリからなるワークエリアを備えており、ＣＰＵ１５１によって各種プログラムが実行される際に生じる処理結果や、入力されたデータ等をこのワークエリアに記憶させる。
【００２６】
ＲＯＭ１５３は、例えば、不揮発性メモリからなるプログラム格納エリアを有しており、抽出プログラム１５３ａ、送信プログラム１５３ｂ等を格納している。
【００２７】
抽出プログラム１５３ａは、例えば、ＣＰＵ１５１に、再生装置１０において再生された映像のコンテンツ情報を抽出する機能を実現させるためのプログラムである。
具体的には、ＣＰＵ１５１は、抽出プログラム１５３ａを実行させることにより、再生装置１０において例えば映像が再生された場合に、その映像の映像データの中からコンテンツ情報を抽出する。
「映像データ」には、ＤＶＤなどの記録媒体に格納されている各種テキストデータや静止画データ、動画データ、音楽データ、音声データ等といった各種情報が含まれる。
また、「コンテンツ情報」とは、「映像データ」の中のテキストデータに含まれる、例えばジャンル情報、タイトル情報、出演者情報、録画年月日情報等といったコンテンツに関する各種の情報を指す。
ジャンル情報とは、映像の種類を示すものであって、例えば、映画・ドラマ、スポーツ、音楽、エンターテイメント、ニュース、等に分類される。
タイトル情報とは、映像のタイトルを示すものであって、例えば映画のＤＶＤであれば、その物語のタイトルがタイトル情報となり、音楽のＤＶＤであれば、その楽曲のタイトルがタイトル情報となる。
また、出演者情報は、映像内に登場する人物の人物名を示すものであり、録画年月日情報は、媒体にその映像が収録された日付を示すものである。
ＣＰＵ１５１は、かかる抽出プログラム１５３ａを実行することにより、抽出手段として機能する。
【００２８】
送信プログラム１５３ｂは、例えば、ＣＰＵ１５１に、抽出プログラム１５３ａの実行により抽出されたコンテンツ情報を、ＨＤＭＩのＣＥＣラインを介して、表示装置２０に送信する機能を実現させるためのプログラムである。
具体的には、ＣＰＵ１５１は、抽出プログラム１５３ａの実行によりコンテンツ情報が抽出された場合に、このコンテンツ情報を通信部１３に出力し、当該コンテンツ情報を、通信部１３のＨＤＭＩ端子１３ａからＨＤＭＩケーブルＣを介して表示装置２０に送信する。
なお、再生装置１０の送信プログラム１５３ｂと、表示装置２０の受信プログラム３１３ａ（後述）とにより装置間のＣＥＣラインによるデータ送受信に関する取り決めがなされていることにより、再生装置１０と表示装置２０とがＣＥＣラインによりデータの送受信できるように構成されている。
ＣＰＵ１５１は、かかる送信プログラム１５３ｂを実行することにより、通信部１３と共に送信手段として機能する。
【００２９】
次に、表示装置２０の構成について説明する。
表示装置２０は、例えば、テレビジョン放送局又は再生装置１０等の外部機器から入力される映像データ等に基づいて、映像を表示するテレビジョン受像機である。
当該表示装置２０は、図２に示すように、映像データ等の各種データを入力する再生装置１０とＨＤＭＩケーブルＣにより接続されており、再生装置１０からＨＤＭＩケーブルＣを介して入力される映像データに基づいて、映像を表示する。
【００３０】
表示装置２０は、再生装置１０等の外部機器から送信される映像データ等を受信する通信部２１と、放送信号を受信する信号受信部２２と、映像データ等に対して復調・デコード等の所定の信号処理を行う信号処理部２３と、入力されるデータを切換選択する切換部２４と、映像データに対して所定の映像処理を行う映像処理部２５と、音声データに対して所定の音声処理を行う音声処理部２６と、表示部２８に入力される映像データに対してＯＳＤ(On Screen Display)データを付加するＯＳＤ回路２７と、映像処理部２５から入力される映像データに基づいて映像を表示する表示部２８と、音声処理部２６から入力される音声データに基づいて音声を出力する音声出力部２９と、ユーザが各種指示を入力するためのキー操作部３０と、表示装置２０の各部を統括制御する制御部３１と、等を備えて構成されている。
【００３１】
通信部２１は、各種インターフェースに対応する映像入出力端子群を備え、再生装置１０の通信部１３から送信される映像データを、映像入出力端子を介して受信する。
具体的には、通信部２１には、ＨＤＭＩに対応するＨＤＭＩ端子２１ａが備わり、このＨＤＭＩ端子２１ａを介して、再生装置１０から音声データ・制御信号とともに送信される映像データを受信する。
【００３２】
信号受信部２２は、アンテナ・チューナ等を備え、テレビジョン放送局から発信される放送信号を受信する。
信号処理部２３は、信号受信部２２から入力される映像データ等に対して、復調・デコード等の所定の信号処理を行う。
【００３３】
切換部２４は、制御部３１による制御に従って、通信部２１に備わるＨＤＭＩ端子２１ａと、信号処理部２３との何れかに接続を切り替えることにより、入力されるデータを切換選択して、後段の映像処理部２５・音声処理部２６等に出力する。
【００３４】
映像処理部２５は、切換部２４から入力される映像データに対して各種の映像処理を行って、映像信号を生成するとともに、生成した映像信号を表示部２８に出力する。
音声処理部２６は、切換部２４から入力される音声データに対して各種の音声処理を行って、音声信号を生成するとともに、生成した音声信号を音声出力部２９に出力する。
ＯＳＤ回路２７は、表示部２８に出力される映像データに対して、メモリ部３１２等に格納された図示しないＯＳＤデータを合成する処理を行う。
【００３５】
表示部２８は、例えば、ＬＣＤ(Liquid Crystal Display)等の図示しないディスプレイを備えており、映像処理部２５から入力された映像データに基づく映像や、ＥＰＧ（電子番組表）を当該ディスプレイに表示する。
表示部２８は、後述する表示プログラム３１３ｆと共に、表示手段として機能する。
【００３６】
音声出力部２９は、図示しないスピーカ等を備え、音声処理部２６から入力された音声データに基づく音声をスピーカから出力する。
【００３７】
制御部３１は、ＣＰＵ３１１、メモリ部３１２、ＲＯＭ３１３等を備えて構成されている。
【００３８】
ＣＰＵ３１１は、表示装置２０の各部から入力された入力信号や、キー操作部３０における各種キーの押下操作に基づく入力操作信号等に応じて、ＲＯＭ３１３に格納された各種プログラムを実行するとともに、実行にかかるプログラムに基づいて表示装置２０の各部に出力信号を出力することにより、表示装置２０の動作全般を統括制御する。
【００３９】
メモリ部３１２は、例えば、ＲＡＭ等の揮発性メモリからなるワークエリア３１２ａを備えており、ＣＰＵ３１１によって各種プログラムが実行される際に生じる処理結果や、入力されたデータ等をこのワークエリア３１２ａに記憶させる。また、メモリ部３１２は、ＥＰＲＯＭ（Erasable Programmable ROM）等の不揮発性メモリからなるデータエリア３１２ｂを備えている。
メモリ部３１２は、後述する記憶プログラム３１３ｄと共に、記憶手段として機能する。
【００４０】
ＲＯＭ３１３は、例えば、不揮発性メモリからなるプログラム格納エリアを有しており、具体的には、受信プログラム３１３ａ、取得プログラム３１３ｂ、検索プログラム３１３ｃ、記憶プログラム３１３ｄ、判断プログラム３１３ｅ、表示プログラム３１３ｆ、報知プログラム３１３ｇ、等を格納している。
【００４１】
受信プログラム３１３ａは、例えば、ＣＰＵ３１１に、再生装置１０における送信プログラム１５３ｂの実行によりＨＤＭＩを介して送信されたコンテンツ情報を受信する機能を実現させるためのプログラムである。
具体的には、ＣＰＵ３１１は、当該表示装置２０に接続された再生装置１０からＨＤＭＩケーブルＣを介してコンテンツ情報が送信されると、当該コンテンツ情報を通信部２１のＨＤＭＩ端子２１ａを介して受信する。
ＣＰＵ３１１は、かかる受信プログラム３１３ａを実行することにより、通信部２１とともに受信手段として機能する。
【００４２】
取得プログラム３１３ｂは、例えば、ＣＰＵ３１１に、受信プログラム３１３ａの実行により受信されたコンテンツ情報から、キーワード及び／又はジャンル情報を取得する機能を実現させるためのプログラムである。
具体的に、ＣＰＵ３１１は、取得プログラム３１３ｂを実行することにより、コンテンツ情報に含まれる各種情報の中から、予め設定されたキーワード及び／又はジャンル情報を選別し、取得する。
キーワードとしては、例えば、ＤＶＤ等の記録媒体に記録されている映像のメイン出演者の人物名などが用いられる。
なお、コンテンツ情報の中で何れのデータをキーワードとして用いるかに関しては、工場出荷設定時に予め決定して、メモリ部３１２に記憶されている。
ＣＰＵ３１１は、かかる取得プログラム３１３ｂを実行することにより、取得手段として機能する。
【００４３】
検索プログラム３１３ｃは、例えば、ＣＰＵ３１１に、取得プログラム３１３ｂの実行により、コンテンツ情報からキーワード及び／又はジャンル情報を取得できない場合、再生装置１０に接続されたインターネットにより、コンテンツ情報を用いてキーワード及び／又はジャンル情報を検索する機能を実現させるためのプログラムである。
具体的には、例えば記録媒体としてＤＶＤを用いた際、コンテンツ情報にキーワード及び／又はジャンル情報が含まれない場合、ＣＰＵ３１１は、検索プログラム３１３ｃを実行することにより、コンテンツ情報に含まれる品番（作品固有の識別番号）などにより、インターネット上の特定のＷｅｂサイト（例えばミュージックストアなど）から、そのコンテンツのキーワード及び／又はジャンル情報を検索・取得する。
ＣＰＵ３１１は、かかる検索プログラム３１３ｃを実行することにより、検索手段として機能する。
【００４４】
記憶プログラム３１３ｄは、例えば、ＣＰＵ３１１に、取得プログラム３１３ｂ及び検索プログラム３１３ｃの実行により、取得されたキーワード及び／又はジャンル情報を記憶する機能を実現させるためのプログラムである。
具体的には、ＣＰＵ３１１は、記憶プログラム３１３ｄを実行することにより、メモリ部３１２のデータエリア３１２ｂに取得されたキーワード及び／又はジャンル情報を記憶する。
メモリ部３１２に記憶されるキーワードやジャンル情報は、再生装置１０におけるＤＶＤ等の記録媒体が再生される度に、随時蓄積される。そして、同一のキーワードやジャンル情報に関しては、蓄積される度に「＋１」として、その使用頻度がカウントされる。
ＣＰＵ３１１は、かかる記憶プログラム３１３ｄを実行することにより、メモリ部３１２と共に、記憶手段として機能する。
【００４５】
判断プログラム３１３ｅは、例えば、ＣＰＵ３１１に、ＥＰＧを表示する際、記憶プログラム３１３ｄの実行によりメモリ部３１２に記憶されたキーワード及び／又はジャンル情報とＥＰＧデータとを照合し、一致するか否かを判断する機能を実現させるためのプログラムである。
具体的には、ＣＰＵ３１１は、判断プログラム３１３ｅを実行することにより、ＥＰＧを表示する際に、メモリ部３１２に記憶されたキーワードやジャンル情報を１つずつ番組毎のＥＰＧデータと照合し、ＥＰＧデータの中に一致するキーワードやジャンル情報がないか否か判断する。
ＣＰＵ３１１は、かかる判断プログラム３１３ｅを実行することにより、判断手段として機能する。
【００４６】
表示プログラム３１３ｆは、例えば、ＣＰＵ３１１に、ＥＰＧを表示する際に、判断プログラム３１３ｅの実行により、キーワード及び／又はジャンル情報と一致すると判断されたＥＰＧデータの番組情報を強調表示する機能を実現させるためのプログラムである。
具体的には、ＣＰＵ３１１は、表示プログラム３１３ｆを実行することにより、ＥＰＧデータの中に、メモリ部３１２に記憶されたキーワードやジャンル情報と一致するキーワードやジャンル情報があったと判断した場合、そのキーワードやジャンル情報を備えた番組情報（番組セル）を強調表示する。強調表示とは、該当の番組情報と、それ以外の番組情報とを、一見で識別可能に表示させることであり、例えば、該当の番組情報を太枠としたり、枠内を着色したり、太字としたりすること等が実行される。
なお、キーワード及びジャンル情報の両者を備えた番組情報と、キーワード及びジャンル情報の何れか一方のみを備えた番組情報との表示形式を異ならせることとしても良い。
例えば、両者備える場合はその番組情報を太枠にして枠内を着色し、一方のみを備える場合は太枠にするだけとする、等の表示形式とすることで、ユーザが番組の優先順位を把握し易くすることができる。
ＣＰＵ３１１は、かかる表示プログラム３１３ｆを実行することにより、表示部２８と共に、表示手段として機能する。
【００４７】
図３は、表示プログラム３１３ｆの実行により表示部２８に表示されるＥＰＧを例示する図である。図３のＥＰＧは、日付表示領域、チャンネル表示領域、放送時間帯表示領域、番組情報表示領域から構成され、番組情報表示領域には、横方向をチャンネル順、縦方向を放送時間順として、各放送番組に関する番組情報を表示する番組セルが並べられている。
各番組セルは、対応する放送番組の放送時間長に応じた縦方向の長さを有しており、各番組セル内に、放送開始時刻とタイトル情報が描画されている。
図３のＥＰＧにおいては、番組セル内に全てのタイトル情報を格納することができる放送番組については、『ＡＢＣワールドニュース』等のように、タイトル情報の全てが番組セル内に表示され、番組セル内に格納し切れない放送番組については、『ラグビーワールドカップ…』のように、タイトル情報の先頭部分だけが番組セル内に表示される。そして、ＥＰＧの中のキーワード及び／又はジャンル情報と一致する情報を含んだ番組セルが太枠となっている。
図３では、ジャンル情報に「スポーツ」が含まれる例であって、このため『ラグビーワールドカップ…』、『スポーツニュース』が太枠となった場合を示している。
【００４８】
報知プログラム３１３ｇは、例えば、ＣＰＵ３１１に、表示装置２０の起動時に、判断プログラム３１３ｅの実行により、キーワード及び／又はジャンル情報と一致すると判断されたＥＰＧデータの番組情報をポップアップ表示してユーザに報知する機能を実現させるためのプログラムである。
具体的には、ＣＰＵ３１１は、報知プログラム３１３ｇを実行することにより、表示装置２０を起動した時点における放映中の番組の中で、キーワード及び／又はジャンル情報と一致する情報を備えた番組情報があった場合、その該当する番組情報をポップアップセルＰとして表示部２８のディスプレイ内に表示する。
ＣＰＵ３１１は、かかる報知プログラム３１３ｇを実行することにより、報知手段として機能する。
【００４９】
図４は、報知プログラム３１３ｇの実行により表示部２８に表示されるポップアップセルＰを例示する図である。図４のポップアップセルＰでは、番組の詳細情報（例えば、番組名、放送日、放送時間、番組内容等）が、その内部に描画されている。なお、ポップアップセルＰ内には、例えば、出演者、ジャンル等、放送番組に関する他の情報を表示させても良い。
【００５０】
次に、本実施形態のデータ送受信システム１の動作を説明する。
図５は、本実施形態におけるデータ送受信システム１によって実行される表示処理（強調表示、ポップアップ表示）を示すフローチャートである。
なお、以下の処理において、ステップＳ１１〜１３は再生装置１０によって実行され、ステップＳ１４〜１９は、表示装置２０によって実行されるものである。
【００５１】
表示処理が開始されると、まず、ステップＳ１１において、再生装置１０の制御部１５は、映像を再生する。
次いで、ステップＳ１２において、制御部１５は、再生された映像の映像データの中から、コンテンツ情報を抽出する。
次いで、ステップＳ１３において、制御部１５は、通信部１３によって、抽出したコンテンツ情報を再生装置１０に送信する。
【００５２】
次いで、ステップＳ１４において、表示装置２０の制御部３１は、通信部２１によって再生装置１０から送信されたコンテンツ情報を受信する。
次いで、ステップＳ１５において、制御部３１は、コンテンツ情報からキーワード及び／又はジャンル情報を取得する。
次いで、ステップＳ１６において、制御部３１は、取得したキーワード及び／又はジャンル情報をメモリ部３１２のデータエリア３１２ｂに記憶する。
次いで、ステップＳ１７において、制御部３１は、ＥＰＧの表示タイミングであるか否か、又は表示装置２０の起動タイミングであるか否かを判断し、これら表示タイミングや起動タイミングでない場合には、本処理を終了する。
【００５３】
一方、ＥＰＧの表示タイミング、又は表示装置２０の起動タイミングである場合（ステップＳ１７；ＹＥＳ）には、続くステップＳ１８において、制御部３１は、取得したキーワード及び／又はジャンル情報と、ＥＰＧのデータとを照合し、一致するか否かを判断する。
そして、取得したキーワード及び／又はジャンル情報と、ＥＰＧのデータとが一致しない場合（ステップＳ１８；ＮＯ）には、本処理を終了する。
一方、一致すると判断した場合（ステップＳ１８；ＹＥＳ）には、続くステップＳ１９において、制御部３１は、表示部２８に強調表示或いはポップアップ表示を行い、本処理を終了する。
【００５４】
図６は、再生装置１０にて実行されるキーワード・ジャンル情報の取得処理を示すフローチャートである。
【００５５】
キーワード・ジャンル情報の取得処理が開始されると、まず、ステップＳ１５１において、制御部３１は、コンテンツ情報の中にキーワードが含まれるか否かを判断し、キーワードが含まれないと判断した場合（ステップＳ１５１；ＮＯ）、後述のステップＳ１５３に移行する。
【００５６】
一方、キーワードが含まれると判断した場合（ステップＳ１５１；ＹＥＳ）、続くステップＳ１５２において、制御部３１は、コンテンツ情報からキーワードを取得する。
次いで、ステップＳ１５３において、制御部３１は、コンテンツ情報にジャンル情報が含まれるか否かを判断する。
そして、ジャンル情報が含まれると判断した場合（ステップＳ１５３；ＹＥＳ）、続くステップＳ１５４において、制御部３１は、コンテンツ情報からジャンル情報を取得し、本処理を終了する。
一方、ジャンル情報が含まれないと判断した場合（ステップＳ１５３；ＮＯ）、続くステップＳ１５５において、制御部３１は、インターネットを用いてコンテンツ情報からキーワード及び／又はジャンル情報を検索して取得し、本処理を終了する。
【００５７】
以上のように、本実施形態のデータ送受信システム１によれば、表示装置２０がＨＤＭＩにより接続された再生装置１０から再生された映像のコンテンツ情報を取得しているため、表示装置２０においてＥＰＧを表示する際、取得したコンテンツ情報に基づいて番組情報が強調表示される。また、表示装置２０の起動時に、取得したコンテンツ情報に基づいて番組情報がポップアップ表示される。
よって、ユーザは、事前に登録することなしに好みの番組の情報を知得することができ、使い勝手を良好にすることができる。
【００５８】
なお、本発明は上記実施形態において説明した形態に限られることなく、本発明の趣旨を逸脱しない範囲において、種々の改良並びに設計の変更を行っても良い。
例えば、強調表示又はポップアップ表示させる際に、ジャンル毎に異なる配色がなされるようにしても良い。このようにすることで、ユーザは好みの番組情報をより識別し易くすることができる。
また、上記実施形態においては、キーワード及び／又はジャンル情報と一致すると判断された場合に、強調表示又はポップアップ表示させることとして説明したが、例えば、所定の閾値以上の使用頻度（カウント数）のキーワードやジャンル情報を優先的に照合して強調表示又はポップアップ表示させ、所定の閾値に満たないキーワードやジャンル情報は照合しないこととしても良い。
このように所定の閾値を設定した場合、ユーザの好みをより反映しやすくすることができる。
【符号の説明】
【００５９】
１  データ送受信システム
１０  再生装置（データ送信機器）
１３  通信部（送信手段）
１５  制御部
１５２  メモリ部
１５３ａ  抽出プログラム（抽出手段）
１５３ｂ  送信プログラム（送信手段）
２０  表示装置（データ受信機器）
２１  通信部（受信手段）
２８  表示部（表示手段）
３１  制御部
３１２  メモリ部（記憶手段）
３１２ａ  ワークエリア
３１２ｂ  データエリア
３１３ａ  受信プログラム（受信手段）
３１３ｂ  取得プログラム（取得手段）
３１３ｃ  検索プログラム（検索手段）
３１３ｄ  記憶プログラム（記憶手段）
３１３ｅ  判断プログラム（判断手段）
３１３ｆ  表示プログラム（表示手段）
３１３ｇ  報知プログラム（報知手段）
【図１】
2010273247.tif 000003
【図２】
2010273247.tif 000004
【図３】
2010273247.tif 000005
【図４】
2010273247.tif 000006
【図５】
2010273247.tif 000007
【図６】
2010273247.tif 000008